(57)【特許請求の範囲】
【請求項１】
光源と、この光源から出射された光束を画像情報に応じて光学像を形成する表示部と、前記光源および前記表示部の少なくともいずれか一方を駆動制御する制御基板と、少なくとも前記光源側または前記制御基板側を覆う裏ケースからなるカバーケースとを備えた表示装置であって、
前記裏ケースは、透明かつ導電性を有する部材で形成されていることを特徴とする表示装置。
【請求項２】
請求項１に記載の表示装置において、
前記裏ケースは、プラスチック製の透明なケース本体に透明導電膜を設けて形成されていることを特徴とする表示装置。
【請求項３】
請求項２に記載の表示装置において、
前記透明導電膜は、前記ケース本体の内側面に設けられていることを特徴とする表示装置。
【請求項４】
請求項２に記載の表示装置において、
前記透明導電膜は、前記ケース本体の外側面に設けられていることを特徴とする表示装置。
【請求項５】
光源と、この光源から出射された光束を画像情報に応じて光学像を形成する表示部と、前記光源および前記表示部の少なくともいずれか一方を駆動制御する制御基板と、少なくとも前記光源側または前記制御基板側を覆う導電性の裏ケースからなるカバーケースとを備えた表示装置であって、
前記裏ケースには、前記光源または前記制御基板を構成する発熱部品の配置に応じた開口部が形成され、この開口部は、導電性を有しかつ透明な被覆部材で覆われていることを特徴とする表示装置。
【請求項６】
請求項５に記載の表示装置において、
前記被覆部材は、透明板とこの透明板の前記裏ケースとの当接面に形成された透明導電膜とで形成されていることを特徴とする表示装置。
【請求項７】
光源と、この光源から出射された光束を画像情報に応じて光学像を形成する表示部と、前記光源および前記表示部の少なくともいずれか一方を駆動制御する制御基板と、少なくとも前記光源側または前記制御基板側を覆う導電性の裏ケースからなるカバーケースとを備えた表示装置であって、
前記裏ケースには、前記光源または前記制御基板を構成する発熱部品を前記裏ケースの外部に露出させる凹部が形成され、この凹部には、前記裏ケースの外部に露出した発熱部品を覆う導電性を有しかつ透明な被覆部材が設けられていることを特徴とする表示装置。
【請求項８】
請求項７に記載の表示装置において、
前記被覆部材は、プラスチック製の透明なケース本体と、前記ケース本体の外側面に設けられた透明導電膜とから形成されていることを特徴とする表示装置。
【発明の詳細な説明】
【０００１】
【発明の属する技術分野】
本発明は、光源と、光源から出射された光束を画像情報に応じて光学像を形成する表示部と、光源あるいは表示部を駆動制御する制御基板と、これらを覆うカバーケースとを備えた表示装置に関する。
【０００２】
【背景技術】
光源装置と、この光源装置からの出射光束を変調する光変調装置とを有する表示装置として、液晶パネルを備えたものが知られている。このような表示装置は、液晶パネルの背面等に光源装置としてバックライトが配置され、このバックライトから出射された光を液晶パネルで変調して画像等を表示するもので、カーナビゲーション用のディスプレイ装置、携帯型や壁掛け型テレビの画像表示装置、ビデオカメラのビューファインダー等として利用されている。
【０００３】
このようなバックライトを内蔵した表示装置では、表示装置外部からのノイズの侵入により映像への影響が出やすい。また、表示装置自体にも、光源装置を構成する蛍光管やその電源回路、更には、制御基板を構成する画像制御回路等のノイズ発生源が存在し、これが表示装置を搭載する製品内の他の回路に影響を及ぼすので、それらを防止するために装置の裏側にシールドケースを設けることが行われている。
【０００４】
例えば、(1) 特許第２６３０６８０号によれば、基板収納ケースが、透明カバー体と導電性の高い部品で形成された開閉カバー体とを備えて構成され、それぞれのカバー体に多数の放熱孔が明けられている。
【０００５】
また、(2) 特許第２９３７２６７号によれば、導電部材を網目状にしてその間を透明部材で埋めた基板収納ケースが示されている。
【０００６】
【発明が解決しようとする課題】
ところで、上述のようなノイズに対してシールド効果を得るためには、光源や制御基板の全面を覆ってしまえばよいが、そうすると、光源や制御基板内からの輻射熱が装置内部に籠もってしまうため、装置内部が高温になり、画像や制御回路に熱の影響が出ることがある。
【０００７】
前記(1) の基板収納ケースでは、装置内部の熱は対流によって放熱孔から放出されるのみで、輻射熱を直接外部へ放出することができず放熱効果はあまり大きくない。。さらに、多数の放熱孔を通って外部からのノイズが侵入し、また、内部のノイズを外部へ放出するので、シールド効果を得ることができない。
【０００８】
また、(2) の基板収納ケースでは、ケースが放熱部分とシールド部分に別れているため、放熱効果およびシールド効果のうちのいずれか一方の効果を優先するように構成すれば他方の効果が薄れてしまい、両方の効果を十分に得ることは困難である。
【０００９】
本発明の目的は、装置内部に発生するノイズが外部へ放出されるのを防ぐことができるとともに、装置外部からのノイズが装置内に侵入するのを防ぐこともでき、かつ装置内部の輻射熱を装置外部に放出して装置内部の温度上昇を抑えることができる表示装置を提供することにある。
【００１０】
【課題を解決するための手段】
前記目的を達成するために、本発明に係る表示装置は、光源と、この光源から出射された光束を画像情報に応じて光学像を形成する表示部と、光源および表示部の少なくともいずれか一方を駆動制御する制御基板と、少なくとも光源側または制御基板側を覆う裏ケースからなるカバーケースとを備えた表示装置であって、裏ケースは、透明かつ導電性を有する部材で形成されていることを特徴とするものである。
【００１１】
ここで、透明は半透明を含む概念である。
【００１２】
このような本発明によれば、裏ケースが、透明かつ導電性を有する部材で形成されているので、外部からのノイズの侵入および外部へのノイズの放出が防止され、また、装置内からの輻射熱は、裏ケースの発熱部に対応する部位から放出されるので、装置外部への放熱を効率的に行うことができ、装置内部の温度上昇を抑えることができる。
【００１３】
本発明において、裏ケースは、プラスチック製の透明なケース本体に透明導電膜を設けて形成されていることが好ましい。
【００１４】
このような本発明によれば、ケース本体を、金型等を用いて容易に、かつ、複雑な形状に製作することができ、また、透明導電膜をケース本体に蒸着することもできるので、その場合、ケース本体と容易に一体化することができる。
【００１５】
ここで、透明導電膜は、酸化スズの透明導電膜であるＮＥＳＡ膜、あるいは酸化インジウムの透明導電膜であるＩＴＯ（Indium Tin Oxides）膜を使用することができ、また、ＩＴＯ膜を所定の部位に直接蒸着してもよく、ＩＴＯ膜を例えば透明部材に蒸着して形成されたシート状のものを使用してもよい。
【００１６】
本発明において、透明導電膜は、ケース本体の内側面に設けられていてもよく、あるいは、ケース本体の外側面に設けられていてもよい。
【００１７】
このような本発明によれば、透明導電膜がケース本体の内側面に設けられている場合には、特別な接続手段を用いることなく装置内部の接地手段等と容易に電気的導通性を確保することができるので、透明導電膜のノイズ遮断の性能を確実に維持することができる。
【００１８】
透明導電膜がケース本体の外側面に設けられている場合には、装置内部にトランス等の高圧部品があっても、プラスチック等の絶縁体を介して透明導電膜が配置されているので、各種高圧部品に応じて絶縁性能を確保できるように絶縁体の厚みを設定することによって、高圧部品と透明導電膜との距離を小さくでき、これにより、装置のコンパクト化を図ることができる。
【００１９】
また、本発明に係る他の表示装置は、光源と、この光源から出射された光束を画像情報に応じて光学像を形成する表示部と、光源および表示部の少なくともいずれか一方を駆動制御する制御基板と、少なくとも光源側または制御基板側を覆う導電性の裏ケースからなるカバーケースとを備えた表示装置であって、裏ケースには、光源または制御基板を構成する発熱部品の配置に応じた開口部が形成され、この開口部は、導電性を有しかつ透明な被覆部材で覆われていることを特徴とするものである。
【００２０】
このような本発明によれば、外部からのノイズの侵入および外部へのノイズの放出が導電性の裏ケースおよび被覆部材で防止され、また、発熱部品からの輻射熱は、当該発熱部品の配置に応じて形成された裏ケースの開口部から放出されるので、装置外部への放熱を効率的に行うことができ、ノイズの侵入および放出の防止効果を妨げることなく装置内部の温度上昇を抑えることができる。
【００２１】
ここで、発熱部品としては、光源を構成する蛍光管および蛍光管の端子部分、また、制御基板を構成する表示部駆動電源、駆動回路電源のトランス等である。
【００２２】
本発明において、被覆部材は、透明板とこの透明板の裏ケースとの当接面に形成された透明導電膜とで形成されていることが好ましい。
【００２３】
このような本発明によれば、透明導電膜と導電部材である裏ケースとの電気的接続を容易に行うことができ、シールド効果を確実に得ることができるとともに、開口部を配置した発熱部品からの輻射熱を放出することができ、かつ、被覆部材を容易に製作することができる。
【００２４】
また、本発明に係る他の表示装置は、光源と、この光源から出射された光束を画像情報に応じて光学像を形成する表示部と、光源および表示部の少なくともいずれか一方を駆動制御する制御基板と、少なくとも光源側または制御基板側を覆う導電性の裏ケースからなるカバーケースとを備えた表示装置であって、裏ケースには、光源または制御基板を構成する発熱部品を裏ケースの外部に露出させる凹部が形成され、この凹部には、裏ケースの外部に露出した発熱部品を覆う導電性を有しかつ透明な被覆部材が設けられていることを特徴とするものである。
【００２５】
このような本発明によれば、外部からのノイズの侵入および外部へのノイズの放出が導電性の裏ケースおよび被覆部材で防止される。さらに、ノイズ発生源となる発熱部品が被覆部材で覆われるため、制御基板上の他の回路へのノイズの影響をも防止することができる。また、発熱部品より発せられる輻射熱は被覆部材を介して外部に放出され、発熱部品の装置外部への放熱を効率的に行うことができ、しかも発熱部品自体がケース外に配置されるので、装置内部の温度上昇を抑えることができる。
【００２６】
本発明において、被覆部材は、プラスチック製の透明なケース本体と、ケース本体の外側面に設けられた透明導電膜とから形成されていることが好ましい。
【００２７】
このような本発明によれば、透明導電膜と導電部材である裏ケースとの電気的接続を容易に行うことができ、シールド効果を確実に得ることができるとともに、開口部を配置した発熱部品からの輻射熱を放出することができ、かつ、被覆部材を容易に製作することができる。
【００２８】
【発明の実施の形態】
以下、本発明の実施の形態を図面に基づいて説明する。
【００２９】
（１）表示装置の構成
表示装置１１は、図１に示すように、表示部となる液晶パネル３０と、この液晶パネル３０の背面光源となる光源装置としてのバックライト装置４０と、液晶パネル３０に表示される画像等の制御を行う表示制御基板５０と、これらを収納して一体化する金属製（導電性）のフレームである表ケース６１およびプラスチック製の裏ケース６２からなるカバーケース６０とを備えて構成されている。
【００３０】
液晶パネル３０は、光源からの出射光束を変調する液晶表示パネル３１と、この液晶表示パネル３１の外周部分を覆うパネルシールドフレーム３２と、液晶表示パネル３１の背面に配置された拡散板３３とを備えて構成されている。
【００３１】
液晶表示パネル３１は、ガラスなどからなる一対の基板３１Ａ，３１Ｂと、これらの基板３１Ａ，３１Ｂの間にシール部材を介して封入された液晶とから構成されている。
【００３２】
この液晶表示パネル３１において、一方の基板３１Ａの長手方向一方側端部は、他方の基板３１Ｂの外側へ張り出しており、また、他方の基板３１Ｂの幅方向一方側端部は、一方の基板３１Ａの外側へ張り出し、互いに重なった部分がこの液晶表示パネル３１の表示領域となっている。
【００３３】
これらの張り出し部には、それぞれＩＣ実装領域Ａ，Ｂが設けられており、各ＩＣ実装領域Ａ，Ｂには、ドライバＩＣ３５，３６が装着されている。このようなドライバＩＣ３５を基板３１Ａに、ＩＣ３６を基板３１Ｂに装着する際には、図示しないが、ＡＣＦ（Anisotropic Conductive Film；異方性導電膜）を、ドライバＩＣ３５，３６と基板３１Ａ，３１Ｂとの間に挟んだ状態でＡＣＦを加熱および押圧して行う。
【００３４】
表示領域は、走査信号駆動回路およびデータ信号駆動回路を含み構成され、これらの回路には、例えば一方の基板３１Ａに設けられた複数の走査線と、他方の基板３１Ｂに上記走査線と交差するようにデータ線が複数形成されている。また、走査線には画素電極が接続され、走査線とデータ線とに印加された信号に基づいて、スイッチング素子としてのＴＦＤ（Thin Film Diode）素子により液晶を表示状態、非表示状態またはその中間状態に切り替えて、表示動作を制御するようになっている。
【００３５】
パネルシールドフレーム３２は、液晶表示パネル３１へのＥＭＩ（電磁妨害）などの影響を防止するためのもので、金属板を折り曲げ加工や打ち抜き加工することによって枠状に形成され、かつ、内部に液晶表示パネル３１の表示面を露出させる開口３２Ａを有する。このパネルシールドフレーム３２は、液晶表示パネル３１と拡散板３３とを挟み込んで一体化して、カバーケース６０を構成する金属製の表ケース６１と接した状態で組み込まれている。
【００３６】
拡散板３３は、バックライト装置４０からの光束を拡散して液晶表示パネル３１に照射、つまり、バックライト装置４０の線光源から出射された光束をほぼ均一に面光源化するもので、拡散剤を添加した乳白色のプラスチック材料により液晶表示パネル３１の表示面形状に対応した矩形板状に形成されている。
【００３７】
バックライト装置４０は、バックライト本体４５と導熱板４６とを備えて構成されている。バックライト本体４５は、液晶表示パネル３１の背面略全面に跨るようにＷ字状に屈曲した光源としての蛍光管４１と、この蛍光管４１の背面に設置され、蛍光管４１から液晶表示パネル３１とは反対側に放射された光を反射させて液晶表示パネル３１に向ける反射板４２と、蛍光管４１に電圧を印可する端子部分４１Ａと、この端子部分４１Ａに電源供給するバックライト基板４３とを備えている。蛍光管４１および端子部分４１Ａはバックライト装置４０駆動時には輻射熱を放出する発熱部品である。
【００３８】
導熱板４６は、熱伝導率の高い金属板、たとえば、銅やアルミニウムなどの金属板の折曲加工によって形成されている。具体的には、反射板４２の背面に密着される矩形状の伝熱部４６Ａと、この伝熱部４６Ａに屈曲部４６Ｂを介して接続された接触部４６Ｃとを備えている。接触部４６Ｃは、表ケース６１の側片６１Ｂ内面に接触している。これにより、反射板４２と表ケース６１が接続され、バックライト装置４０からの熱を表ケース６１へ伝える熱伝導路が形成されている。
【００３９】
カバーケース６０は、金属製の表ケース６１、およびプラスチック製の裏ケース６２を備え、表ケース６１は、金属板の折り曲げ加工によって枠状に形成され、内部には、液晶表示パネル３１の表示面を露出させる開口部６１Ａが形成されている。
【００４０】
裏ケース６２は、透明なプラスチックの射出成形によって箱状に形成され、液晶パネル３０に対してバックライト装置４０側、また、表示制御基板５０側を覆うように配置され、表ケース６１の外側に嵌合、装着される。
【００４１】
表示制御基板５０は、図２に示すように、基板本体５１上に種々の回路素子（回路部品）を実装することにより構成され、この基板本体５１は、電源回路部５５および画像制御回路５６等を含み構成されている。
【００４２】
電源回路部５５は、発熱部品であるトランス５４０、コンデンサ５４１，５４２等を備え構成され、画像制御回路５６は、コネクタ５２１、補助ＣＰＵ５２２、画像制御ＩＣ５２３、ＣＧＲＯＭ（Ｃｈａｒａｃｔｅｒ  ＧｅｎｅｒａｔｏｒＲｅａｄ  Ｏｎｌｙ  Ｍｅｍｏｒｙ）５２６、ファームＲＯＭ（Ｒｅａｄ  Ｏｎｌｙ  Ｍｅｍｏｒｙ）５２５等を備えている。また、表示制御基板５０には、図示しないが、蛍光管４１駆動用のインバータ回路や、画像処理用の高周波回路等が設けられている。
【００４３】
（２）第１実施形態
図１，３に基づいて本発明の第１実施形態を説明する。
【００４４】
この実施形態は、表示装置１１において、前記透明なプラスチック製の裏ケース６２を、導電性を有する部材としたものである。
【００４５】
すなわち、図３に示すように、裏ケース６２は、透明なプラスチック製のケース本体６２Ａと、このケース本体６２Ａの内側面全面にわたって真空蒸着等により蒸着されたＩＴＯ膜６２Ｂ（透明導電膜）とで形成されており、このＩＴＯ膜６２Ｂは、ケース本体６２Ａの内側面の外側水平面まで延びている。
【００４６】
このような裏ケース６２は、射出成形したプラスチック製のケース本体６２Ａを、内面が上向きになるようにして蒸着装置の釜内に配置し、内面にＩＴＯ膜６２Ｂを真空蒸着により形成することにより製作される。
【００４７】
〔第１実施形態の効果〕
以上のような実施形態によれば、次のような効果がある。
【００４８】
1)裏ケース６２が、透明なプラスチック製のケース本体６２Ａと、このケース本体６２Ａの内側面全面にわたって真空窯着等により蒸着されたＩＴＯ膜６２Ｂとで形成されているので、表示装置１１外部からのノイズの侵入および蛍光管４１、端子部分４１Ａ、トランス５４０、インバータ回路および高周波回路等のノイズ発生源から表示装置１１外部へのノイズの放出を防止でき、また、バックライト装置４０の端子部分４１Ａやトランス５４０等からの輻射熱は、裏ケース６２の端子部分４１Ａやトランス５４０等に対応する部位から放出されるので、装置外部への放熱を効率的に行うことができ、装置内部の温度上昇を抑えることができる。
【００４９】
2)ＩＴＯ膜６２Ｂは、ケース本体６２Ａの内側面全面にわたって蒸着すればよいので、作業が容易であるとともに、ケース本体６２Ａの形状を複雑にすることができる。
【００５０】
3)ＩＴＯ膜６２Ｂが金属製の表ケース６１との当接面まで延出形成されているので、裏ケース６２と表ケース６１とを係合させるだけで電気的導通性を確保することができるので、ＩＴＯ膜６２Ｂのノイズ遮断の性能を容易かつ確実に維持することができる。
【００５１】
（３）第２実施形態
次に、図４に基づいて本発明の第２実施形態を説明する。
【００５２】
この実施形態では、前記第１の実施形態で、裏ケース６２を構成するケース本体６２Ａの内側面全面にＩＴＯ膜６２Ｂを蒸着したのに対して、裏ケース６２’を構成するケース本体６２Ａの外側面全面にＩＴＯ膜６２Ｂを蒸着したものである。従って、詳細な説明は省略する。
【００５３】
〔第２実施形態の効果〕
以上のような第２実施形態によれば、前記第１実施形態の1)、2)と同様の効果に加えて、
4)ＩＴＯ膜６２Ｂは、装置内部の回路部品とは、絶縁性のケース本体６２Ａを介して配置されることになる。従って、装置内の各種高圧部品に応じて絶縁性能を確保できるように絶縁体の厚みを設定することによって、トランス５４０や蛍光管４１の端子部分４１Ａ等の高圧部品にきわめて近づけた位置にケース本体６２Ａを配置しても、その高圧部品とＩＴＯ膜６２Ｂ間での放電発生を防止することができるので、安全性を確保しながら装置のコンパクト化に有利となる。
【００５４】
（４）第３実施形態
次に、図５，６に基づいて本発明の第３実施形態を説明する。
【００５５】
この実施形態では、前記第１、第２実施形態で、裏ケース６２、６２’が透明なプラスチック製のケース本体６２Ａと、その内側面全面あるいは外側面全面に蒸着されたＩＴＯ膜６２Ｂとで形成されていたものを、金属製の裏ケース７２としたものである。
【００５６】
すなわち、裏ケース７２において、バックライト装置４０の発熱部品や、表示制御基板５０の基板本体５１上に実装された、例えば電源回路部５５内の発熱部品、例えばトランス５４０に応じた位置には、トランス５４０からの輻射熱を放出する例えば四角形状の開口部７２Ａが形成されている。
【００５７】
この開口部７２Ａは、導電性を有しかつ透明な被覆部材７７で覆われている。
被覆部材７７は、開口部７２Ａの形状に応じたプラスチック製の透明板７７Ｂと、この透明板７７Ｂの裏ケース７２と当接する面に蒸着され透明板７７Ｂと一体となったＩＴＯ膜７７Ａとで形成され、被覆部材７７は、導電性の接着剤等により取り付けられている。
【００５８】
〔第３実施形態の効果〕
以上のような第３の実施形態によれば、
5)外部からのノイズの侵入および外部へのノイズの放出を金属製の裏ケース７２および被覆部材７７で防止することができ、また、トランス５４０等の発熱部品からの輻射熱を、これらの発熱部品の配置に応じて設けた透明な被覆部材７７を介して開口部７２Ａから直接放出することができるので、装置外部への放熱を効率的に行うことができ、装置内部の温度上昇を抑えることができるという効果がある。この場合、開口部７２Ａから侵入または放出しようとするノイズは、導電性接着剤により裏ケース７２と導通されたＩＴＯ膜７７Ａにより、他の部分と同様に防止することができる。
【００５９】
（５）第４実施形態
次に、図７，８に基づいて本発明の第４実施形態を説明する。
【００６０】
この実施形態では、前記第３実施形態で、金属製の裏ケース７２において、トランス５４０に応じた位置に、トランス５４０からの輻射熱を放出する開口部７２Ａを形成し、その開口部７２Ａを被覆部材７７で覆うものとしたが、裏ケース８２のトランス５４０に対応する位置を凹ませた形状としたものである。
【００６１】
すなわち、裏ケース８２のトランス５４０に対応する位置は、四角形状に内側に凹んだ凹部８２Ａとされ、この凹部８２Ａが、開口部となっている。このような凹部８２Ａには、トランス５４０を覆うケース８３が収納されている。ケース８３は、トランス５４０を囲むように配置される４枚の側板と、これらの側板の上面を覆う上板とを備えたケース本体８３Ａと、このケース本体８３Ａの外周面に形成されるＩＴＯ膜８３Ｂとで構成され、凹部８２Ａにはまり込む縦横寸法および裏ケース８３とほぼ同じ高さ寸法の角筒状に形成されている。従って、ＩＴＯ膜８３Ｂと裏ケース８２の凹部８２Ａ側面とが接触していることになる。
【００６２】
〔第４実施形態の効果〕
以上のような第４実施形態によれば、前記第３実施形態の5)と同様の効果を得ることができる他、
6)トランス５４０がケース本体８３Ａの４枚の側板により囲まれているので、裏ケース８２の金属部分とトランス５４０との間の放電を防止することができる。
【００６３】
7)ケース本体８３Ａの外周面に形成されるＩＴＯ膜８３Ｂが、裏ケース８２の凹部８２Ａ側面とが接触しているので、裏ケース８２との電気的接続を容易に行うことができる。
【００６４】
8)ノイズ発生源であるトランス５４０が被覆部材８３に形成されたＩＴＯ膜８３Ｂで囲まれているので、トランス５４０から発生するノイズが制御基板５０の他の回路に影響を与えるのを防止することができる。
【００６５】
9)発熱部品であるトランス５４０は、凹部８２Ａ、すなわち、裏ケース８２外部に配置され、また、被覆部材８３で囲まれているので、装置内部の温度上昇を抑えることができる。さらには、トランス５４０からの輻射熱を透明な被覆部材８３を介して直接放出することができるので、装置外部への放熱を効率的に行うことができ、装置内部の温度上昇をより一層抑えることができる。
【００６６】
（６）実施形態の変形
なお、本発明は、前述の各実施形態に限定されるものではなく、以下に示すような変形をも含むものである。
【００６７】
例えば、前記第３実施形態では、ＩＴＯ膜７７Ａを透明板７７Ｂに蒸着し、前記第４実施形態では、ＩＴＯ膜８３Ｂをケース本体８３Ａに蒸着してそれぞれを一体化したが、これに限らず、フィルム状部材にＩＴＯ膜７７Ａ，８３Ｂを蒸着して形成したシートを、接着剤等で透明板７７Ｂ、ケース本体８３Ａに接着して一体化してもよい。
【００６８】
また、前記各実施形態では、発熱部品としてトランス５４０を例にして説明したが、発熱部品としては、光源を構成する蛍光管４１や蛍光管の端子部分４１Ａであってもよい。
【００６９】
さらに、前記各実施形態では、バックライト装置４０は、バックライト本体４５と導熱板４６とで構成されていたが、これに限らず、両者４５，４６を予め組み込んでユニット化されたものを用いてもよい。
【００７０】
また、前記各実施形態では、バックライト装置４０に用いられる蛍光管４１は、Ｗ字状のものであったが、Ｕ字状、直管状等あらゆる形状の蛍光管を使用したり、また、それらを複数本あるいは組合わせて使用してもよく、いずれにおいても本発明を適用することができる。
【００７１】
また、前記各実施形態では、液晶パネル３０の背面光源としてのバックライト装置４０は、所謂直下型のバックライトを用いたものであるが、これに限られず、背面光源として、所謂エッジ型（サイド型）のバックライトを用いてもよい。
この場合、液晶パネルの裏面側でかつ液晶パネルの側方に配置された蛍光管から出射された光束は、液晶パネルの裏面側に配置された導光板などによって導光、拡散され、面光源化されて液晶パネルの背面に照射される。
【００７２】
その他、本発明を実施する際の具体的な構造および形状等は、本発明の目的を達成できる範囲で他の構造等としてもよい。
【００７３】
【発明の効果】
前述のような表示装置によれば、裏ケースが、透明かつ導電性を有する部材で形成されているので、外部からのノイズの侵入および外部へのノイズの放出が防止され、また、装置内からの輻射熱は、裏ケースの発熱部に対応する部位から放出されるので、装置外部への放熱を効率的に行うことができ、装置内部の温度上昇を抑えることができる。
【図面の簡単な説明】
【図１】本発明に係る第１の実施形態の表示装置を示す分解斜視図である。
【図２】前記実施形態における表示制御基板の構造を説明するための斜視図である。
【図３】本発明に係る第１の実施形態を示す縦断面図である。
【図４】本発明に係る第２の実施形態を示す縦断面図である。
【図５】本発明に係る第３の実施形態を示す平面図である。
【図６】前記実施形態を示す縦断面図である。
【図７】本発明に係る第４の実施形態を示す平面図である。
【図８】前記実施形態を示す縦断面図である。
【符号の説明】
１１  表示装置
３０  液晶パネル
４０  光源装置としてのバックライト装置
４１Ａ  端子部分
５０  表示制御基板
６０  カバーケース
６１  表ケース
６２，６２’  裏ケース
６２Ａ  ケース本体
６２Ｂ  透明導電膜であるＩＴＯ膜
７２  裏ケース
７２Ａ  開口部
７７  被覆部材
８２  裏ケース
８２Ａ  開口部である凹部
８３  ケース８３
８３Ａ  ケース本体
８３Ｂ  ＩＴＯ膜
５４０  発熱部品であるトランス
【図１】
0004572313.tif 000002
【図２】
0004572313.tif 000003
【図３】
0004572313.tif 000004
【図４】
0004572313.tif 000005
【図５】
0004572313.tif 000006
【図６】
0004572313.tif 000007
【図７】
0004572313.tif 000008
【図８】
0004572313.tif 000009